(57)【要約】【課題】本発明は、格納されたデジタルマルチメディア放送を多様な方式にて再生する方法及びそれによるデジタルマルチメディア放送受信装置を提供する。【解決手段】本発明は、デジタルマルチメディア放送受信装置の再生方法において、放送の格納中に少なくとも一つ以上の再生開始点を指定するステップと、格納された放送ファイルの再生時、前記指定された再生開始点の中で所定の再生開始点が選択されたか否かを判別するステップと、前記選択された再生開始点から格納された放送ファイルを再生するステップとを含む。【選択図】図１
2006352885.tif 000002
【特許請求の範囲】
【請求項１】
デジタルマルチメディア放送受信装置の再生方法において、
放送の格納中に少なくとも一つ以上の再生開始点を指定するステップと、
格納された放送ファイルの再生時、前記指定された再生開始点の中で所定の再生開始点が選択されたか否かを判別するステップと、
前記選択された再生開始点から格納された放送ファイルを再生するステップと、を含むことを特徴とする方法。
【請求項２】
所定のキー入力を感知すれば、前記キー入力を感知した時点を再生開始点として指定することを特徴とする請求項１に記載の方法。
【請求項３】
放送ファイルの再生時間を示すための表示手段上に、再生開始点が指定された部分をチェックするステップをさらに含むことを特徴とする請求項１に記載の方法。
【請求項４】
前記再生開始点が指定されると、前記再生開始点の指定を報知する文句を表示するステップをさらに含むことを特徴とする請求項１に記載の方法。
【請求項５】
前記指定された再生開始点の中で所定の再生開始点を方向キーにより選択することを特徴とする請求項１に記載の方法。
【請求項６】
デジタルマルチメディア放送受信装置の再生方法において、
格納された放送ファイルの再生中に、少なくとも一つ以上の再生開始点を指定するステップと、
前記再生開始点が指定されて格納された放送ファイルの再生時、前記指定された再生開始点の中で所定の再生開始点が選択されたか否かを判別するステップと、
前記選択された再生開始点から格納された放送ファイルを再生するステップと、を含むことを特徴とする方法。
【請求項７】
所定のキー入力を感知すれば、前記キー入力を感知した時点を再生開始点として指定することを特徴とする請求項６に記載の方法。
【請求項８】
放送ファイルの再生時間を示すための表示手段上に、再生開始点が指定された部分をチェックするステップをさらに含むことを特徴とする請求項６に記載の方法。
【請求項９】
前記再生開始点が指定されると、前記再生開始点の指定を報知する文句を表示するステップをさらに含むことを特徴とする請求項６に記載の方法。
【請求項１０】
前記指定された再生開始点の中で所定の再生開始点を方向キーにより選択することを特徴とする請求項６に記載の方法。
【請求項１１】
デジタルマルチメディア放送受信装置において、
放送の格納中に再生開始点を指定し、指定された再生開始点を選択するためのユーザーキー入力を受けるキー入力部と、
格納された放送ファイル及び前記放送ファイルに指定された再生開始点に対するデータが格納されるメモリ部と、
前記キー入力部よりユーザーキー入力を感知した時点を、格納中の放送ファイルの再生開始点として指定して前記メモリ部に格納し、格納された放送ファイルの再生時、前記指定された再生開始点の中で所定の再生開始点が前記キー入力部により選択されると、前記選択された再生開始点から前記放送ファイルを再生する制御部と、を備えることを特徴とする装置。
【請求項１２】
前記制御部は、放送ファイルの再生時間を示すための表示手段上に、再生開始点が指定された部分をチェックすることを特徴とする請求項１１に記載の装置。
【請求項１３】
前記制御部は、再生開始点が指定されると、再生開始点の指定を報知する文句を表示することを特徴とする請求項１１に記載の装置。
【請求項１４】
前記キー入力部は、前記指定された再生開始点の中で所定の再生開始点を選択するための方向キーを備えることを特徴とする請求項１１に記載の装置。
【請求項１５】
デジタルマルチメディア放送受信装置において、
格納された放送ファイルの再生中に再生開始点を指定し、指定された再生開始点を選択するためのユーザーキー入力を受けるキー入力部と、
格納された放送ファイル及び前記放送ファイルに指定された再生開始点に対するデータが格納されるメモリ部と、
前記キー入力部よりユーザーキー入力を感知した時点を、再生中の放送ファイルの再生開始点として指定して前記メモリ部に格納し、前記再生開始点が指定された格納された放送ファイルの再生時、前記指定された再生開始点の中で所定の再生開始点が前記キー入力部により選択されると、前記選択された再生開始点から前記放送ファイルを再生する制御部と、を備えることを特徴とする装置。
【請求項１６】
前記制御部は、放送ファイルの再生時間を示すための表示手段上に、再生開始点が指定された部分をチェックすることを特徴とする請求項１５に記載の装置。
【請求項１７】
前記制御部は、再生開始点が指定されると、再生開始点の指定を報知する文句を表示することを特徴とする請求項１５に記載の装置。
【請求項１８】
前記キー入力部は、前記指定された再生開始点の中で所定の再生開始点を選択するための方向キーを備えることを特徴とする請求項１５に記載の装置。
【請求項１９】
デジタルマルチメディア放送受信装置の再生方法において、
格納された放送ファイルの再生時、所定のキー入力を感知するステップと、
前記所定のキー入力が再生速度を遅くするキー入力であれば、前記放送ファイルを構成するビデオフレームの再生数を減少させるステップと、
前記所定のキー入力が再生速度を速くするキー入力であれば、前記放送ファイルを構成するビデオフレームの再生数を増加させるステップと、を含むことを特徴とする方法。
【請求項２０】
前記再生速度を遅くするキー入力が感知される毎に、前記放送ファイルを構成するビデオフレームの再生数を半分に減少させるステップをさらに含むことを特徴とする請求項１９に記載の方法。
【請求項２１】
前記放送ファイルを構成するビデオフレームの再生数が半分になれば、再生速度が半分に減少したことを報知する文句を表示するステップをさらに含むことを特徴とする請求項２０に記載の方法。
【請求項２２】
前記再生速度を速くするキー入力が感知される毎に、前記放送ファイルを構成するビデオフレームの再生数を２倍に増加させるステップをさらに含むことを特徴とする請求項１９に記載の方法。
【請求項２３】
前記放送ファイルを構成するビデオフレームの再生数が２倍になれば、再生速度が２倍に増加したことを報知する文句を表示するステップをさらに含むことを特徴とする請求項２２に記載の方法。
【請求項２４】
前記再生速度を遅くするキーと速くするキーとは同一であり、前記キーの押下時間が既設定の時間よりも短いと、前記放送ファイルを構成するビデオフレームの再生数を増加させるステップをさらに含むことを特徴とする請求項１９に記載の方法。
【請求項２５】
前記再生速度を遅くするキーと速くするキーとは同一であり、前記キーの押下時間が既設定の時間よりも長いと、前記放送ファイルを構成するビデオフレームの再生数を減少させるステップをさらに含むことを特徴とする請求項１９に記載の方法。
【請求項２６】
前記再生速度を遅くするキーと速くするキーとは互い異なることを特徴とする請求項１９に記載の方法。
【請求項２７】
デジタルマルチメディア放送受信装置において、
放送ファイルを格納するメモリ部と、
格納された放送ファイルの再生中に、再生速度の調節を行うユーザーキー入力を受けるキー入力部と、
前記メモリ部に格納された放送ファイルの再生時、前記キー入力部より再生速度の調節を行うユーザーキー入力が感知されると、前記感知されたキー入力に応じて前記放送ファイルを構成するビデオフレームの再生数を調節する制御部と、を備えることを特徴とする装置。
【請求項２８】
前記制御部は、前記感知されたユーザーキー入力が再生速度を遅くするキー入力であれば、前記放送ファイルを構成するビデオフレームの再生数を減少させることを特徴とする請求項２７に記載の装置。
【請求項２９】
前記制御部は、再生速度を遅くするキー入力が感知される毎に、前記放送ファイルを構成するビデオフレームの再生数を半分に減少させることを特徴とする請求項２８に記載の方法。
【請求項３０】
前記制御部は、前記放送ファイルを構成するビデオフレームの再生数が半分になれば、再生速度が半分に減少したことを報知する文句を表示することを特徴とする請求項２９に記載の方法。
【請求項３１】
前記制御部は、前記感知されたユーザーキー入力が再生速度を速くするキー入力であれば、前記放送ファイルを構成するビデオフレームの再生数を増加させることを特徴とする請求項２７に記載の方法。
【請求項３２】
前記制御部は、前記再生速度を遅くするキー入力が感知される毎に、前記放送ファイルを構成するビデオフレームの再生数を２倍に増加させることを特徴とする請求項３１に記載の方法。
【請求項３３】
前記制御部は、前記放送ファイルを構成するビデオフレームの再生数が２倍になれば、再生速度が２倍に増加したことを報知する文句を表示することを特徴とする請求項３２に記載の装置。
【請求項３４】
前記キー入力部は、再生速度を調節するための調節キーを備え、
前記制御部は、前記調節キーの押下時間が既設定の時間よりも短いと、前記放送ファイルを構成するビデオフレームの再生数を増加させることを特徴とする請求項２７乃至請求項３３の何れか一つに記載の装置。
【請求項３５】
前記制御部は、前記調節キーの押下時間が既設定の時間よりも長いと、前記放送ファイルを構成するビデオフレームの再生数を減少させることを特徴とする請求項３４に記載の装置。
【請求項３６】
前記キー入力部は、再生速度を遅くする入力信号及び速くする入力信号を発生させるキーをそれぞれ備えることを特徴とする請求項２８乃至請求項３３の何れか一つに記載の装置。
【発明の詳細な説明】
【技術分野】
【０００１】
本発明はデジタルマルチメディア放送に関し、特に、格納されたデジタルマルチメディア放送を再生する方法及びそれによるデジタルマルチメディア放送受信装置に関する。
【背景技術】
【０００２】
一般に、デジタルマルチメディア放送受信装置のユーザーは、格納された放送ファイルを所望の地点で視聴するために、ビデオテープの再生中に早送りを行うと同様に、再生時点を調節するための調節部を所望の地点までドラッグした。よって、所望の地点が放送ファイルの開始地点から遠いと、ドラッグ時間も長くなるという問題点があった。また、このような既存のデジタルマルチメディア放送受信装置は、格納された放送ファイルのビデオフレームを連続してディスプレイするしかないため、ユーザーは放送ファイルの再生速度を調節出来なかった。
【発明の開示】
【発明が解決しようとする課題】
【０００３】
よって、本発明の目的は、格納されたデジタルマルチメディア放送を多様な方式にて再生する方法及びそれによるデジタルマルチメディア放送受信装置を提供することにある。
【課題を解決するための手段】
【０００４】
前記目的を達成するために、本発明のデジタルマルチメディア放送受信装置の再生方法は、放送の格納中に少なくとも一つ以上の再生開始点を指定するステップと、格納された放送ファイルの再生時、前記指定された再生開始点の中で所定の再生開始点が選択されたか否かを判別するステップと、前記選択された再生開始点から格納された放送ファイルを再生するステップとを含むことを特徴とする。
【０００５】
それによるデジタルマルチメディア放送受信装置は、放送の格納中に再生開始点を指定し、指定された再生開始点を選択するためのユーザーキー入力を受けるキー入力部と、格納された放送ファイル及び前記放送ファイルに指定された再生開始点に対するデータが格納されるメモリ部と、前記キー入力部よりユーザーキー入力を感知した時点を、格納中の放送ファイルの再生開始点として指定して前記メモリ部に格納し、格納された放送ファイルの再生時、前記指定された再生開始点の中で所定の再生開始点が前記キー入力部により選択されると、前記選択された再生開始点から前記放送ファイルを再生する制御部とを備えることを特徴とする。
【０００６】
また、本発明のデジタルマルチメディア放送受信装置の再生方法は、格納された放送ファイルの再生中に、少なくとも一つ以上の再生開始点を指定するステップと、前記再生開始点が指定されて格納された放送ファイルの再生時、前記指定された再生開始点の中で所定の再生開始点が選択されたか否かを判別するステップと、前記選択された再生開始点から格納された放送ファイルを再生するステップとを含むことを特徴とする。
【０００７】
それによるデジタルマルチメディア放送受信装置は、格納された放送ファイルの再生中に再生開始点を指定し、指定された再生開始点を選択するためのユーザーキー入力を受けるキー入力部と、格納された放送ファイル及び前記放送ファイルに指定された再生開始点に対するデータが格納されるメモリ部と、前記キー入力部よりユーザーキー入力を感知した時点を、再生中の放送ファイルの再生開始点として指定して前記メモリ部に格納し、前記再生開始点が指定された格納された放送ファイルの再生時、前記指定された再生開始点の中で所定の再生開始点が前記キー入力部により選択されると、前記選択された再生開始点から前記放送ファイルを再生する制御部とを備えることを特徴とする。
【０００８】
また、本発明のデジタルマルチメディア放送受信装置の再生方法は、格納された放送ファイルの再生時、所定のキー入力を感知するステップと、前記所定のキー入力が再生速度を遅くするキー入力であれば、前記放送ファイルを構成するビデオフレームの再生数を減少させるステップと、前記所定のキー入力が再生速度を速くするキー入力であれば、前記放送ファイルを構成するビデオフレームの再生数を増加させるステップとを含むことを特徴とする。
【０００９】
それによるデジタルマルチメディア放送受信装置は、放送ファイルを格納するメモリ部と、格納された放送ファイルの再生中に、再生速度の調節を行うユーザーキー入力を受けるキー入力部と、前記メモリ部に格納された放送ファイルの再生時、前記キー入力部より再生速度の調節を行うユーザーキー入力が感知されると、前記感知されたキー入力に応じて前記放送ファイルを構成するビデオフレームの再生数を調節する制御部とを備えることを特徴とする。
【発明の効果】
【００１０】
本発明によれば、デジタルマルチメディア放送ファイルの再生開始点を指定することで、ユーザーは所望の部分から放送を視聴できる。
【００１１】
また、デジタルマルチメディア放送ファイルの再生速度を調節することで、ユーザーは動画を所望の速度で視聴できる。
【発明を実施するための最良の形態】
【００１２】
以下、添付図面に基づき、本発明の好適な実施形態を詳細に説明する。また、本発明の説明において、本発明に関連した公知機能や構成についての具体的な説明が、本発明の要旨を不明瞭にすると判断される場合には、その詳細な説明を省略する。
【００１３】
図１は、本発明の実施形態により格納されたデジタルマルチメディア放送を多様な方式にて再生するデジタルマルチメディア放送受信装置の構成を示すブロック図である。
【００１４】
デジタルマルチメディア放送受信装置の受信部１０は、アンテナを介してデジタルマルチメディア放送信号を受信し、逆多重化部２０は、受信された放送信号を逆多重化してデコーダ３０に出力する。デコーダ３０が逆多重化部２０から逆多重化されたデジタルマルチメディア放送信号をデコーディングすれば、メモリ部であるＳＤＲＡＭ(Synchronous Dynamic Random Access Memory)４０には、デコーディング済みのデジタルマルチメディア放送のビデオフレームが格納される。メモリ部は、ＳＤＲＡＭ(４０)の以外にも、格納されたデジタルマルチメディア放送のビデオフレームと、格納されたビデオフレームで生成された放送ファイルと、放送ファイルに指定された再生開始点に対するデータとを格納するフラッシュメモリ４１を含む。
【００１５】
デジタル信号処理部５０は、ＳＤＲＡＭ(４０)から出力されるビデオフレームをＤＳＰ(Digital Signal Process)コーデック(ＣＯＤＥＣ)を用いて連続してデコーディングし、表示部６０及び音響出力部７０に各々出力する。これにより、ユーザーは、ビデオフレームが連続して出力される表示部６０及び音響出力部７０を介してデジタルマルチメディア放送を視聴することになる。キー入力部８０は、デジタルマルチメディア放送の格納を開始及び終了させる格納開始キーと格納終了キー、格納された放送ファイルを再生させる再生キー、放送の格納中或いは格納された放送ファイルの再生中に、再生開始点を指定するブックマークキー、指定された再生開始点を選択するための左／右方向キー、及び格納された放送ファイルの再生中に再生速度を調節する調節キーを備える。
【００１６】
ユーザーが格納開始キーを押下すれば、キー入力部８０は格納要請信号を制御部９０に出力する。制御部９０は、格納要請信号が入力されると、ＳＤＲＡＭ(４０)に格納されたデコーディング済みのデジタルマルチメディア放送のビデオフレームをフラッシュメモリ４１に格納する。デジタルマルチメディア放送の格納中にユーザーが格納終了キーを押下すれば、キー入力部８０は格納終了信号を制御部９０に出力する。制御部９０は、格納終了信号が入力されると、フラッシュメモリ４１にデコーディング済みのビデオフレームの格納を終了させ、格納されたビデオフレームにより一つの放送ファイルを生成させてフラッシュメモリ４１に格納する。
【００１７】
また、ユーザーが格納された放送ファイルを選択して再生キーを押下すれば、キー入力部８０は、選択された放送ファイルの再生信号を制御部９０に出力する。これにより、制御部９０は、フラッシュメモリ４１に格納された選択された放送ファイルに含まれたビデオフレームを、ＤＳＰコーデックを用いて連続してデコーディングし、表示部６０及び音響出力部７０に出力する。よって、ユーザーは、表示部６０及び音響出力部７０により格納されたデジタルマルチメディア放送を視聴することになる。
【００１８】
デジタルマルチメディア放送の格納中に、或いは、格納された放送ファイルの再生中に、ユーザーがブックマークキーを押下すれば、キー入力部８０は、再生開始点を指定するための要請信号を制御部９０に出力する。制御部９０は、再生開始点を指定するための要請信号の入力時点、すなわち、格納中或いは再生中の放送ファイルの最初の再生時点から経過した時間を、格納中或いは再生中の放送ファイルの再生開始点に対するデータとして指定し、フラッシュメモリ４１に格納する。
【００１９】
制御部９０は、再生時間を示すための表示手段上に、再生開始点が指定された部分をチェックし、再生開始点の指定を報知する文句を表示部６０に表示する。再生時間を示すための表示手段上にチェックされた再生開始点に対するデータは、フラッシュメモリ４１に各々格納される。再生開始点の指定過程を、図２〜図４を参照して詳細に説明する。
【００２０】
図２は、デジタルマルチメディア放送受信装置において、現在の放送の格納中に或いは格納された放送ファイルの再生中に、表示部６０に表示される動画の例示図である。
図２に示すように、動画が表示されている状態において、ユーザーが所望の画面の出画時にブックマークキーを押下すれば、キー入力部８０は再生開始点を指定するための要請信号を制御部９０に出力する。制御部９０は、再生開始点を指定するための要請信号の入力時点を、格納中或いは再生中の放送ファイルの再生開始点に対するデータとして指定し、フラッシュメモリ４１に格納する。また、制御部９０は、再生時間を示すための表示手段上に再生開始点の指定部分をチェックし、再生開始点の指定を報知する文句を、図３のように表示する。
【００２１】
ユーザーは、所望の画面が出画される毎にブックマークキーを押下することで、格納中或いは再生中の放送ファイルの再生開始点を少なくとも一つ以上指定できる。少なくとも一つ以上指定された再生開始点を示す画面は、図４のようである。このように、再生開始点が指定された放送ファイルを、再生中にユーザーが指定された再生開始点の中で所定の再生開始点を選択し、選択された地点から放送ファイルを再生する過程を、図５〜図７を参照して詳細に説明する。
【００２２】
上記のように、再生開始点の指定後に、ユーザーが、再生開始点が指定された放送ファイルを選択して再生キーを押下すれば、キー入力部８０は選択された放送ファイルの再生信号を制御部９０に出力する。これにより、制御部９０は、フラッシュメモリ４１に格納された選択された放送ファイルに含まれたビデオフレームを、ＤＳＰコーデックを用いて連続してデコーディングし、表示部６０及び音響出力部７０に出力すれば、表示部６０には図５のような画面が表示される。
【００２３】
このような状態で、ユーザーは、自身が指定した再生開始点の中で、所望の再生開始点を左／右方向キーを操作して選択できる。ユーザーが左／右方向キーを押下すれば、制御部９０は再生中の放送ファイルの再生開始点に対するデータをフラッシュメモリ４１から読み込む。また、制御部９０は、フラッシュメモリ４１から読み込んだ再生開始点に対するデータに応じて、再生時間表示手段により再生開始点をチェックし、再生中の画面に図６のように表示する。
【００２４】
これにより、ユーザーは、左／右方向キーを操作して所望の再生時点がチェックされた部分を選択すれば、制御部９０は選択された再生開始点に対するデータをフラッシュメモリ４１から読み込む。また、制御部９０はフラッシュメモリ４１から読み込んだデータに応じて放送ファイルを再生すれば、表示部６０には図７のように選択された再生開始点の画面から動画が開始される。選択された再生開始点から放送ファイルが再生される間にも、ユーザーは、左／右方向キーを操作して所望の再生開始点の再選択が可能となる。また、ユーザーは、所望の画面が出画されると、ブックマークキーを押下することで、継続して再生開始点を指定できる。
【００２５】
また、デジタルマルチメディア放送受信装置は、格納された放送ファイルの再生速度を再生中に調節できる。ユーザーが所定の格納された放送ファイルを選択し、再生キーを押下すれば、キー入力部８０は選択された放送ファイルの再生信号を制御部９０に出力する。これにより、制御部９０は、フラッシュメモリ４１に格納された選択された放送ファイルに含まれたビデオフレームを、ＤＳＰコーデックを用いて連続してデコーディングし、表示部６０及び音響出力部７０に出力する。よって、ユーザーは、表示部６０及び音響出力部７０により格納されたデジタルマルチメディア放送を視聴する。このとき、再生速度を調節するために、調節キーを操作するこができる。
【００２６】
調節キーは、放送ファイルの再生速度を遅くするか速くするための入力信号を発生させるキーであって、キー入力部８０に具備される。再生速度を遅くするか速くするためのそれぞれの再生速度調節信号を生成するために、調節キーは別にキー入力部８０に具備されることができる。また、調節キーが一つのキーとして具現されることで、制御部９０は調節キーの押下時間によって放送ファイルの再生速度を速く又は遅く調節できる。
【００２７】
例えば、ユーザーは、一つのキーとして調節キーを短くか長く押下することができ、制御部９０は、ユーザーの調節キーの押下により、キー入力部８０から発生する再生速度調節信号を入力される。制御部９０は、再生速度調節信号の入力時間を既設定の時間と比較して、既設定の時間よりも短いと、入力された再生速度調節信号を再生速度を速くする信号として決定し、既設定の時間よりも長いと、入力された再生速度調節信号を再生速度を遅くする信号として決定する。
【００２８】
制御部９０は、前述したように、調節キーの操作により発生した再生速度調節信号に応じて、フラッシュメモリ４１に格納されたビデオフレームの出力を調節する。制御部９０は、感知された再生速度調節信号が再生速度を遅くする信号であれば、フラッシュメモリ４１に格納されたビデオフレームの出力を現在よりも減少させる。フラッシュメモリ４１から出力されるビデオフレームの数が減少されれば、表示部６０に表示される動画の再生速度は既存の再生速度よりも遅くなる。また、制御部９０は、感知された再生速度調節信号が再生速度を速くする信号であれば、フラッシュメモリ４１に格納されたビデオフレームの出力を現在よりも増加させる。フラッシュメモリ４１から出力されるビデオフレームの数が増加されれば、表示部６０に表示される動画の再生速度は既存の再生速度よりも速くなる。
【００２９】
また、制御部９０は、再生速度調節信号が感知される毎に、感知された信号に応じてフラッシュメモリ４１に格納されたビデオフレームの出力を半分に減少させたり２倍に増加させたりする。図８〜図１０を参照して、再生速度の調節過程を詳細に説明する。
【００３０】
図８は、再生速度が調節されない状態で、格納された放送ファイルが再生される画面の例示図である。このような状態で、制御部９０は、キー入力部８０から再生速度を速くする信号が入力されれば、フラッシュメモリ４１に格納されたビデオフレームの出力を現在よりも２倍に増加させる。また、制御部９０は、再生速度が２倍に増加されたことを報知する文句を図９のように表示する。フラッシュメモリ４１から出力されるビデオフレームの数は、２倍に増加されるため、表示部６０に表示される動画の再生速度は、既存の再生速度よりも２倍に速くなる。
【００３１】
このような状態で、制御部９０は、キー入力部８０から再生速度を速くする信号が再入力されれば、フラッシュメモリ４１に格納されたビデオフレームの出力を２倍に増加させる。よって、フラッシュメモリ４１から出力されるビデオフレームの出力は最初よりも４倍に増加され、制御部９０は再生速度が最初の再生速度よりも４倍に増加されたことを報知する文句を表示する。フラッシュメモリ４１から出力されるビデオフレームの数が最初よりも４倍に増加されたため、表示部６０に表示される動画の再生速度は既存の再生速度の２倍であり、最初の再生速度の４倍に速くなる。すなわち、制御部９０は、キー入力部８０から再生速度を速くする信号が入力される毎に、フラッシュメモリ４１に格納されたビデオフレームの出力を２倍ずつ増加させ、増加された倍数を報知する文句を表示する。
【００３２】
一方、このような状態で、制御部９０は、キー入力部８０から再生速度を遅くする信号が入力されれば、フラッシュメモリ４１に格納されたビデオフレームの出力を現在よりも半分に減少させる。また、制御部９０は、再生速度が既存の再生速度、すなわち４倍から半分に減少されるため、再生速度が最初の２倍であることを報知する文句を表示する。フラッシュメモリ４１から出力されるビデオフレームの数は、既存の半分に減少されるため、表示部６０に表示される動画の再生速度は、既存の再生速度、すなわち４倍から半分に減少することで、最初の再生速度の２倍に速くなる。このように、放送ファイルの再生速度は、ユーザーの調節キーの操作に応じて流動的に調節される。
【００３３】
また、図８のような状態で、制御部９０は、キー入力部８０から再生速度を遅くする信号が入力されれば、フラッシュメモリ４１に格納されたビデオフレームの出力を現在よりも半分に減少させる。また、制御部９０は、再生速度が半分に減少されることを報知する文句を、図１０のように表示する。フラッシュメモリ４１から出力されるビデオフレームの数が半分に減少されるため、表示部６０に表示される動画の再生速度は、既存の再生速度の半分に減少される。
【００３４】
このような状態で、制御部９０は、キー入力部８０から再生速度を遅くする信号が再入力されれば、フラッシュメモリ４１に格納されたビデオフレームの出力を半分に減少させる。よって、フラッシュメモリ４１から出力されるビデオフレームの出力は最初の１/４になり、制御部９０は再生速度が最初の再生速度の１/４に減少されることを報知する文句を表示する。フラッシュメモリ４１から出力されるビデオフレームの数が最初の１/４に減少されるため、表示部６０に表示される動画の再生速度は既存の再生速度の１/２、最初の再生速報の１/４に減少される。すなわち、制御部９０は、キー入力部８０から再生速度を遅くする信号が入力される毎に、フラッシュメモリ４１に格納されたビデオフレームの出力を１/２倍に減少させ、減少された倍数を報知する文句を表示する。
【００３５】
また、デジタルマルチメディア放送受信装置において、放送の格納中に、或いは、格納された放送ファイルの再生中に、再生開始点を指定する過程を、図１１のフローチャートを参照して詳細に説明する。図１１は、本発明の実施形態によりデジタルマルチメディア放送の格納中に、或いは、格納された放送ファイルの再生中に、再生開始点を指定する過程を示すフローチャートである。
【００３６】
デジタルマルチメディア放送受信装置のユーザーは、放送の格納中に、或いは、格納された放送ファイルの再生中に、後で所望の時点から放送ファイルを再生させるための再生開始点を指定できる。ユーザーが放送を視聴していて所望の画面が出画されて、ブックマークキーを押下すれば、キー入力部８０は再生開始点を指定するための要請信号を制御部９０に出力する。
【００３７】
制御部９０は、デジタルマルチメディア放送の格納中に、或いは、格納された放送ファイルの再生中に、キー入力部８０から再生開始点を指定するための要請信号が入力されるか否かを判別する(段階Ｓ１０)。段階Ｓ１０において、再生開始点を指定するための要請信号が入力されると、制御部９０は要請信号が入力された時点、すなわち格納中或いは再生中の放送ファイルの最初の再生時点から経過した時間を、再生開始点に対するデータとして指定し、フラッシュメモリ４１に格納する(段階Ｓ２０)。
【００３８】
続いて、制御部９０は、再生時間を示すための表示手段上に再生開始点の指定部分をチェックし、再生開始点の指定を報知する文句を、図３のように表示部６０に表示する(段階Ｓ３０)。再生時間を示すための表示手段上にチェックされた再生開始点に対するデータは、段階Ｓ２０においてフラッシュメモリ４１に格納される。
【００３９】
ユーザーは、所望の画面が出画される毎にブックマークキーを押下することで、継続して再生開始点を指定できる。これにより、キー入力部８０から再生開始点を指定するための要請信号が入力された制御部９０は、放送の格納或いは再生が終了するまで段階Ｓ１０〜段階Ｓ３０を繰返す。
【００４０】
次に、図１１の過程により再生開始点が指定されて格納された放送ファイルを多様な方法にて再生する過程を、図１２のフローチャートを参照して詳細に説明する。図１２は、本発明の実施形態により格納されたデジタルマルチメディア放送を多様な方法にて再生する過程を示すフローチャートである。
【００４１】
図１１の過程により再生開始点が指定されて格納された放送ファイルをユーザーが選択し、再生キーを押下すれば、キー入力部８０は選択された放送ファイルの再生信号を制御部９０に出力する。これにより、制御部９０は、フラッシュメモリ４１に格納された選択された放送ファイルに含まれたビデオフレームを、ＤＳＰコーデックを用いて連続してデコーディングし、表示部６０及び音響出力部７０に出力する(段階Ｓ１００)。
【００４２】
このような状態で、ユーザーは、自身が指定した再生開始点の中で所望の再生開始点を左／右方向キーを操作して選択できる。また、ユーザーは、再生中の放送ファイルの再生速度を調節キーを押下して調節できる。制御部９０は、選択された放送ファイルの再生中にキー入力部８０から所定の信号が入力されれば、入力された信号がどのような信号かを判別する(段階Ｓ１１０)。
【００４３】
段階Ｓ１１０において、キー入力部８０から入力された信号が、左／右方向キーの操作によって発生する信号であれば、制御部９０は再生中の放送ファイルの再生開始点に対するデータをフラッシュメモリ４１から読み込む。続いて、制御部９０は、フラッシュメモリ４１から読み込んだ再生開始点に対するデータに応じて再生開始点を再生時間表示手段上にチェックし、再生中の画面に表示する(段階Ｓ１２０)。
【００４４】
これにより、ユーザーは、左／右方向キーを操作して所望の再生時点がチェックされた部分を選択できる。再生時間表示手段上に表示された再生開始点の中で所定の再生開始点が選択されると、制御部９０は選択された再生開始点に対するデータをフラッシュメモリ４１から読み込み、読み込んだデータによる再生開始点から放送ファイルを再生する(段階Ｓ１３０)。選択された再生開始点から放送ファイルが再生されている中に、ユーザーが更に左／右方向キーを押下して所望の再生開始点を選択すると、制御部９０は段階Ｓ１３０を繰返す。また、ユーザーは、所望の画面が出画されれば、ブックマークキーを押下することで、再生中の放送ファイルに新しい再生開始点を図１０の過程により継続して指定できる。
【００４５】
また、段階Ｓ１１０において、キー入力部８０から入力された信号が、調節キーの操作によって発生した再生速度調節信号であれば、制御部９０は入力された再生速度調節信号が再生速度を遅くする信号か速くする信号かを判別する(段階Ｓ１４０)。段階Ｓ１４０において、入力された再生速度調節信号が再生速度を遅くする信号であれば、制御部９０はフラッシュメモリ４１に格納されたビデオフレームの出力を現在よりも減少させる(段階Ｓ１５０)。フラッシュメモリ４１から出力されるビデオフレームの数が減少されるため、表示部６０に表示される動画の再生速度は既存の再生速度よりも遅くなる。
【００４６】
一方、入力された再生速度調節信号が再生速度を速くする信号であれば、制御部９０はフラッシュメモリ４１に格納されたビデオフレームの出力を現在よりも増加させる(段階Ｓ１６０)。フラッシュメモリ４１から出力されるビデオフレームの数が増加されるため、表示部６０に表示される動画の再生速度は既存の再生速度よりも速くなる。前述したように、ユーザーが、格納された放送ファイルの再生中に、キー入力部８０による再生開始点の変更及び設定、或いは、再生速度の調節が可能である。勿論、再生速度の調節は、再生開始点が指定されることなく格納された放送ファイルでも可能である。
【００４７】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００４８】
【図１】本発明の実施形態による格納されたデジタルマルチメディア放送を多様な方式にて再生するデジタルマルチメディア放送受信装置の構成を示すブロック図である。
【図２】本発明の実施形態による再生開始点を指定する過程を説明するための例示図である。
【図３】本発明の実施形態による再生開始点を指定する過程を説明するための例示図である。
【図４】本発明の実施形態による再生開始点を指定する過程を説明するための例示図である。
【図５】本発明の実施形態による再生開始点から放送ファイルを再生する過程を説明するための例示図である。
【図６】本発明の実施形態による再生開始点から放送ファイルを再生する過程を説明するための例示図である。
【図７】本発明の実施形態による再生開始点から放送ファイルを再生する過程を説明するための例示図である。
【図８】本発明の実施形態による再生速度を調節する過程を説明するための例示図である。
【図９】本発明の実施形態による再生速度を調節する過程を説明するための例示図である。
【図１０】本発明の実施形態による再生速度を調節する過程を説明するための例示図である。
【図１１】本発明の実施形態によるデジタルマルチメディア放送の格納中に、或いは、格納された放送ファイルの再生中に、再生開始点を指定する過程を示すフローチャートである。
【図１２】本発明の実施形態による格納されたデジタルマルチメディア放送を多様な方式にて再生する過程を示すフローチャートである。
【符号の説明】
【００４９】
１０      受信部
２０      逆多重化部
３０      デコーダ
４０      メモリ部
４１      フラッシュメモリ
５０      デジタル信号処理部
６０      表示部
７０      音響出力部
８０      キー入力部
９０      制御部
【図１】
2006352885.tif 000003
【図１２】
2006352885.tif 000004
【図２】
2006352885.tif 000005
【図３】
2006352885.tif 000006
【図４】
2006352885.tif 000007
【図５】
2006352885.tif 000008
【図６】
2006352885.tif 000009
【図７】
2006352885.tif 000010
【図８】
2006352885.tif 000011
【図９】
2006352885.tif 000012
【図１０】
2006352885.tif 000013
【図１１】
2006352885.tif 000014